(57)【要約】
【課題】蝶番ドアと敷居間を緊密に封鎖し、強い雨風が室内に浸入するのを遮る内開き式ドアの敷居構造を提供する。
【解決手段】内開き式ドアの敷居構造は、良好な防水機能を具え、少なくとも敷居台２０及び雨避け板３０が嵌合方式によって組み立てられ、如何なる止め部品をも使用しない。特に敷居基台２０の本体台２１最上面には、同時に風雨を導き排除する排水溝２５、及び同じ効果を具え、風雨を遮る壁となる凸条２３が設置され、室内に雨が侵入するのを幾重にも保護する。蝶番ドア４０を閉じた時、ドア底部と室内の間の隙間を有効に封鎖し、台風下にも充分に効果を発揮する。
【選択図】図１  
0003101176.tif 000002
【実用新案登録請求の範囲】
【請求項１】
敷居基台及び雨避け板を相互に嵌合して構成された内開き式ドアの敷居構造において、
縦長の本体台及び本体台側面下半部の突出した前側板を具え、その本体台と前側板が相互に接合する箇所には掛合槽が成形され、更に本体台の最上面には排水溝及び雨を遮断する機能を具えた凸条が設置され、またこの前側板は傾斜した板体で、その前段底部は厚みを削り、そこに掛合槽を成形する敷居基台と、
蓋板、Ｌ字型側面板及び象嵌板から構成され、そのうち蓋板は傾斜した板体で、その高い方の端部には上向きに逆鉤凸が成形され、低い方の端部はＬ字型側面板の垂直面と相互に繋がり、Ｌ字型側面板の水平面が蓋板の前面に対応するもので、また象嵌板はＬ字型の板体で、その垂直板面は蓋板の前段底部に連接し、水平板面の前縁は上向きに逆鉤凸を成形することを特徴とする内開き式ドアの敷居構造。
【請求項２】
前記敷居基台に属する本体台の凸条は、その最上端に傾斜条を具えることを特徴とする請求項１記載の内開き式ドアの敷居構造。
【請求項３】
前記雨避け板のＬ字型側面板は、その水平面にレールを設置することを特徴とする請求項１もしくは２記載の内開き式ドアの敷居構造。
【請求項４】
前記雨避け板は、係止板を含み、蓋板の板面上に垂直に連接し、雨避け板と敷居基台が掛合された時、この係止板は敷居基台の本体台の凸条前面に立つことを特徴とする請求項１もしくは２記載の内開き式ドアの敷居構造。
【請求項５】
前記係止板は、その側面に舌型凸を具えることを特徴とする請求項４記載の内開き式ドアの敷居構造。
【考案の詳細な説明】
【技術分野】
【０００１】
本考案は、内開き式ドアの敷居構造に関するもので、風避け及び水避け効果を具えた敷居構造である。
【背景技術】
【０００２】
公知の蝶番ドアを閉めた時、この蝶番ドアの底端とその敷居の間には通常隙間ができる。そのため、台風で雨が降ると、雨水は家の中に入り込みやすい。
【０００３】
この改善策として、敷居の構造を改良したものがあり、例として敷居上に防水板もしくは雨避け板等を設置する。しかし、蝶番ドア底端と敷居の間にはやはり隙間が存在するため、欠点は改善していない。
【特許文献１】特開２００２−３３９６６８号公報
【考案の開示】
【考案が解決しようとする課題】
【０００４】
解決しようとする問題点は、蝶番ドアと敷居間に存在する隙間のために風避け、水避け効果が達成されていない点である。
【課題を解決するための手段】
【０００５】
本考案は、良好な防水機能を具え、少なくとも敷居台及び雨避け板が嵌合方式によって組み立てられ、如何なる止め部品をも使用しない。特に敷居基台の本体台最上面には、同時に風雨を導き、排除する排水溝、及び同じ効果を具え、風雨を遮る壁となる凸条が設置され、室内に雨が侵入するのを幾重にも保護する。そのため、蝶番ドアを閉じた時、ドア底部と室内の間の隙間を有効に封鎖し、台風下にも充分に効果を発揮することを最も主要な特徴とする。
すなわち本校案の内開き式ドアの敷居構造は、
敷居基台及び雨避け板を相互に嵌合して構成された内開き式ドアの敷居構造において、
縦長の本体台及び本体台側面下半部の突出した前側板を具え、その本体台と前側板が相互に接合する箇所には掛合槽が成形され、更に本体台の最上面には排水溝及び雨を遮断する機能を具えた凸条が設置され、またこの前側板は傾斜した板体で、その前段底部は厚みを削り、そこに掛合槽を成形する敷居基台と、
蓋板、Ｌ字型側面板及び象嵌板から構成され、そのうち蓋板は傾斜した板体で、その高い方の端部には上向きに逆鉤凸が成形され、低い方の端部はＬ字型側面板の垂直面と相互に繋がり、Ｌ字型側面板の水平面が蓋板の前面に対応するもので、また象嵌板はＬ字型の板体で、その垂直板面は蓋板の前段底部に連接し、水平板面の前縁は上向きに逆鉤凸を成形することを特徴とする。
また、前記敷居基台に属する本体台の凸条は、その最上端に傾斜条を具えることを特徴とする。
また、前記雨避け板のＬ字型側面板は、その水平面にレールを設置することを特徴とする。
また、前記雨避け板は、係止板を含み、蓋板の板面上に垂直に連接し、雨避け板と敷居基台が掛合された時、この係止板は敷居基台の本体台の凸条前面に立つことを特徴とする。
また、前記係止板は、その側面に舌型凸を具えることを特徴とする。
【考案の効果】
【０００６】
本考案の内開き式ドアの敷居構造は、蝶番ドアと敷居間を緊密に封鎖し、強い雨風が室内に浸入するのを遮るという利点がある。
【考案を実施するための最良の形態】
【０００７】
図１から図４に示すとおり、本考案の敷居１０は、良好な防水機能をそなえ、敷居基台２０及び雨避け板３０から構成され、如何なる止め部品を必要としないで嵌合方式で組み立てる。
【０００８】
そのうち、この敷居基台２０は、熱塑性発泡材質(Thermoplastic Form Material)もしくは熱塑性不発泡材質(Thermoplastic Material)を押出成型によって一体成型する。敷居基台２０の断面構造は、高度のある本体台２１、及びその本体台２１前側側面下半部に繋ぎ合わせた前側板２２を具える。同時にこの敷居基台２０の本体台２１と前側板２２の接合箇所には掛合機能を具えた掛合槽２６が成形される。また本体台２１の最上面は、その最上面縦長方向に向かって、下向きに凹み、そこに排水溝２５が成形される。別にこの本体台２１近くの排水溝２５堤防境界線、また同時にその側面には前側板２２の最上面位置が連接され、全面が上向きに一段突出した高さで、本体台２１の最上面に水堰き止め機能の凸条２３を具える。更にこの凸条２３の最上端は前側板２２方向に向き、更に前には下向き伸びた傾斜条２４が成形される。この本体台２１最上面に設置する凸条２３及び排水溝２５の役割は、図４に示すとおり、蝶番ドア４０を閉めた時、この蝶番ドア４０の底端が本体台２１の凸条２３の高さより高くするためで、そのため室内５０から見ると、この凸条２３は風避け雨避けになり、水が室内５０に浸入するのを防止する。更にこの蝶番ドア４０の軟質嵌着条４５と凸条２３の間に密接な接触が生まれ、またこの凸条２３最上端には傾斜した傾斜条２４が成形されているので、スムーズな排水機能及び雨水浸入を減少させる効果を具える。万一、雨水がこの凸条２３と軟質嵌着条４５の接触面隙間から浸入しても本体台２１最上面に設置した排水溝２５内に流れ、排水溝２５から水は流される。更に蝶番ドア４０のもう一つの軟質嵌着条４６は、排水溝２６の別側堤防境界線上に密接に繋がっているので、更に雨水を隔絶する機能を具える。本考案の敷居基台２０本体台２１の構造によって、徹底して雨水が室内５０に浸入するのを遮断する。
【０００９】
この敷居基盤２０の前側板２２は傾斜した板体で、前に向かって徐々に下降する。またこの前側板２２の前段底部は、厚みを削るか、もしくは凹ませ、同時にその凹んだ底部の適する位置に掛合機能を具えた掛合槽２７を成形する。またこの掛合槽２７の角位置には楔形凸２８を成形し、前側板２２の前段の掛合機能を高める。
【００１０】
雨避け板３０はアルミ合金を押出成型して製造し、蓋板３１、側板３２、係止板３４及び象嵌板３７から構成され、防水、防湿性を具える。
【００１１】
この雨避け板３０の蓋板３１は傾斜した板体で、傾斜角度は上述の敷居基台２０の前側板２２に対応する。この蓋板２２の高度の高い端部には上向きに掛合機能を具えた逆鉤凸３６を具え、この雨避け板３０と上述の敷居基台２０を相互に掛合した時、この蓋板３１逆鉤凸３６は上述の敷居基台２０の掛合槽２６内部に掛合される。同時にこの蓋板３１を上述の敷居基台２０前側板２２上面に被せる。
【００１２】
雨避け板３０の象嵌板３７はＬ字型の板体で、垂直辺は蓋板３１前段底部に連接し、水平辺の前縁は上向きに湾曲して小段を形成し、掛合機能を具えた逆鉤凸３８となる。この雨避け板３０と上述の敷居基台２０を相互に掛合すると、蓋板３１と象嵌板３７の間の空間は上述の敷居基台２０前側板２２の前段に納置され、この象嵌板３２の逆鉤凸３８と、前側板２２の楔形凸２８によって相互に掛合される。
【００１３】
雨避け板３０の係止板３４は、適する高さを具えた直立板体で、蓋板３１の板面上に垂直に連接する。またこの係止板３４の側面中間点には前向きに突出した一片の舌型凸３５が伸び、雨避け板３０と上述の敷居基台２０が相互に掛合した時、この係止板３４は敷居基台２０本体台２１の凸条２３前面で立ち、係止板３４の高さが凸条２３の傾斜条２４底端を超え、係止板３４は風雨防止壁となり、敷居基台２０へ浸入する水分を初歩的に遮断する。同時に雨避け板３０と敷居基台２０が相互に掛合されると、この舌型凸３５は敷居基台２０の本体台２１に近寄り、本体台２１構造を強化する。
【００１４】
雨避け板３０の側板３２はＬ字型板体で、その垂直辺は蓋板３１の高度の低い端部につながり、また水平辺の板面上には上向きに突出したレール３３上に網戸（図未提示）が設置され、このレール３３上を滑動する。
【００１５】
これらによって、如何なる止め部品を必要とせずに、敷居基台２０及び雨避け板の各掛合構造を掛合することによって、本考案の敷居の組立が完成する。
【００１６】
図１から図４に示すとおり、本考案の敷居１０は敷居１０左右両側の枠１５、及び敷居１０真上の上枠（図未提示）に直立して設置され、内開き式ドアのドア枠が組み立てられる。このドア枠は、家壁を設置した後、内開き式蝶番ドア４０を設置し、室内５０と室外６０を区分し、蝶番ドア４０を開ける方法で、室外６０から室内５０に向かって蝶番ドア６０を押し開けるか、もしくは室内５０から蝶番ドア４０を引いて開くようになっている。
【００１７】
敷居１０の雨避け板３０はアルミ合金で製造され、防水防湿効果を具える。更に係止板３４及び敷居基台２０の凸条２３は、蝶番ドア４０底部より高く、二本の風雨避け壁を形成し、蝶番ドア４０を閉めた時、この二本の壁は、防風、防水効果を具える。同時に本考案の敷居１０の敷居基台２０と蝶番ドア４０の軟質嵌着条４５、４６が緊密に接触することによって、蝶番ドア４０底部と室内５０の隙間を有効に遮断する。且つこの敷居基台２０の本体台２１最上面には排水溝２５が設置され、多重保護構造で、台風の風雨にも、本考案の敷居１０は充分に風雨が室内５０に浸入するのを防止する。
【図面の簡単な説明】
【００１８】
【図１】本考案の敷居構造指示図である。
【図２】本考案の敷居構造である敷居基台２０及び雨避け板３０の分解図である。
【図３】図２に示す敷居基台２０及び雨避け板３０が相互に掛合した敷居構造指示図である。
【図４】本考案の使用状態参考拡大図である。
【符号の説明】
【００１９】
１０        敷居
１５        枠
２０        敷居基台
２１        本体台
２２        前側板
２３        凸条
２４        傾斜条
２５        排水溝
２６        掛合槽
２７        掛合槽
２８        楔形凸
３０        雨避け板
３１        蓋板
３２        側面板
３３        レール
３４        係止板
３５        舌型凸
３６        逆鉤凸
３７        象嵌板
３８        逆鉤凸
４０        蝶番ドア
４５        軟質嵌着条
４６        軟質嵌着条
５０        室内
６０        室外
【図１】
0003101176.tif 000003
【図２】
0003101176.tif 000004
【図３】
0003101176.tif 000005
【図４】
0003101176.tif 000006